(57)【要約】      （修正有）【課題】ネットワーク性能要求をより満たす無線ネットワークを取得でき、リソース利用率を向上でき、構築コストを節約できる無線ネットワークの配備方法及び装置を提供する。【解決手段】無線ネットワークの配備装置１１００は、配備すべき領域を複数のサブ領域に分割する第１分割部１１０１と、各サブ領域に対してアクセスポイント（ＡＰ）を配備する第１決定部１１０２とを含む。第１決定部１１０２は、複数のサブ領域のうちＡＰ配備済みのサブ領域以外のＡＰ未配備のサブ領域に対してＡＰを配備する場合、ＡＰ配備済みのサブ領域の残りリソースに基づいて、ＡＰ未配備のサブ領域のＡＰ配備スキームを決定する。残りリソースは、配備されたＡＰにアクセス可能なユーザの数と実際にアクセスしたユーザの数との差である。【選択図】図１１
2017225119.tif 000002
【特許請求の範囲】
【請求項１】
無線ネットワークの配備装置であって、
配備すべき領域を複数のサブ領域に分割する第１分割手段と、
各サブ領域に対してアクセスポイント（ＡＰ）を配備する第１決定手段であって、前記複数のサブ領域のうちＡＰ配備済みのサブ領域以外のＡＰ未配備のサブ領域に対してＡＰを配備する場合、ＡＰ配備済みのサブ領域の残りリソースに基づいて、前記ＡＰ未配備のサブ領域のＡＰ配備スキームを決定する、第１決定手段と、を含み、
前記残りリソースは、配備されたＡＰにアクセス可能なユーザの数と実際にアクセスしたユーザの数との差である、装置。
【請求項２】
各前記ＡＰ未配備のサブ領域のＡＰ配備スキームを決定する際に、前記第１決定手段は、
前記ＡＰ未配備のサブ領域における前記残りリソースにアクセスでき、且つネットワーク性能が第１所定条件を満たす第１ユーザの総数を決定する第１ユーザ数決定手段と、
前記第１ユーザの総数が前記残りリソース以下であり、且つ前記ＡＰ未配備のサブ領域に前記第１ユーザ以外に第１残りユーザが存在する場合、ＡＰ未配備のサブ領域の第１残りユーザの分布に基づいて、前記ＡＰ未配備のサブ領域のＡＰ配備スキームを決定する第１処理手段と、を含む、請求項１に記載の装置。
【請求項３】
前記第１決定手段は、
前記第１ユーザの総数が前記残りリソースよりも大きい場合、前記第１ユーザから前記残りリソース以下の数の第２ユーザを選択する第２ユーザ決定手段と、
前記ＡＰ未配備のサブ領域の前記第２ユーザ以外の第２残りユーザの分布に基づいて、前記ＡＰ未配備のサブ領域のＡＰ配備スキームを決定する第２処理手段と、をさらに含む、請求項２に記載の装置。
【請求項４】
各サブ領域の多重化可能なリソースの割合を決定する第２決定手段、をさらに含み、
前記第１決定手段は、前記ＡＰ未配備のサブ領域に対してＡＰを配備する場合、前記ＡＰ配備済みのサブ領域の残りリソース及び前記第２決定手段により決定された多重化可能なリソースの割合に基づいて、ＡＰ配備スキームを決定する、請求項１に記載の装置。
【請求項５】
前記第１分割手段は、重要度レベルに基づいて、配備すべき領域を重要度レベルの異なる複数のサブ領域に分割し、
前記第２決定手段は、各サブ領域の重要度レベルに基づいて、各サブ領域の多重化可能なリソースの割合を決定する、請求項４に記載の装置。
【請求項６】
各前記ＡＰ未配備のサブ領域のＡＰ配備スキームを決定する際に、前記第１決定手段は、
前記ＡＰ配備済みのサブ領域の前記残りリソース及び前記多重化可能なリソースの割合に基づいて、前記ＡＰ配備済みのサブ領域の第１多重化可能リソースを決定する第１多重化可能リソース決定手段と、
ＡＰ未配備のサブ領域における前記第１多重化可能リソースにアクセスでき、且つネットワーク性能が第１所定条件を満たす第３ユーザの総数を決定する第３ユーザ数決定手段と、
前記第３ユーザの総数が前記第１多重化可能リソース以下であり、且つＡＰ未配備のサブ領域に前記第３ユーザ以外に第３残りユーザが存在する場合、ＡＰ未配備のサブ領域の第３残りユーザの分布に基づいて、前記ＡＰ未配備のサブ領域のＡＰ配備スキームを決定する第３処理手段と、を含む、請求項４に記載の装置。
【請求項７】
前記第１決定手段は、
前記第３ユーザの総数が前記第１多重化可能リソースよりも大きい場合、前記第３ユーザから前記第１多重化可能リソース以下の数の第４ユーザを選択する第４ユーザ決定手段と、
ＡＰ未配備のサブ領域の前記第４ユーザ以外の第４残りユーザの分布に基づいて、前記ＡＰ未配備のサブ領域のＡＰ配備スキームを決定する第４処理手段と、をさらに含む、請求項６に記載の装置。
【請求項８】
前記第１決定手段は、所定の順序に各サブ領域に対してアクセスポイント（ＡＰ）を順次配備する、請求項１に記載の装置。
【請求項９】
前記第２決定手段は、重要度レベルの高いサブ領域の多重化可能なリソースの割合を低くするように決定する、請求項５に記載の装置。
【請求項１０】
無線ネットワークの配備方法であって、
配備すべき領域を複数のサブ領域に分割するステップと、
各サブ領域に対してアクセスポイント（ＡＰ）を配備するステップであって、前記複数のサブ領域のうちＡＰ配備済みのサブ領域以外のＡＰ未配備のサブ領域に対してＡＰを配備する場合、ＡＰ配備済みのサブ領域の残りリソースに基づいて前記ＡＰ未配備のサブ領域のＡＰ配備スキームを決定する、ステップと、を含み、
前記残りリソースは、配備されたＡＰにアクセス可能なユーザの数と実際にアクセスしたユーザの数との差である、方法。
【発明の詳細な説明】
【技術分野】
【０００１】
本発明は、通信技術の分野に関し、特に無線ネットワークの配備方法及び装置に関する。
【背景技術】
【０００２】
無線通信技術の発展は便利なユーザによるネットワークへのアクセスを提供し、無線ローカルエリアネットワーク（ＷＬＡＮ：Ｗｉｒｅｌｅｓｓ  Ｌｏｃａｌ  Ａｒｅａ  Ｎｅｔｗｏｒｋｓ）は電気電子技術者協会（ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１シリーズ標準の無線通信技術である。ＷＬＡＮは、室内モバイル装置、ＩｏＴ（Ｉｎｔｅｒｎｅｔ  ｏｆ  Ｔｈｉｎｇｓ）装置のためにローカルエリアネットワーク又はインターネットへのアクセスを提供するための主流の手段となっている。性能の安定し、且つ優れたＷＬＡＮネットワークを取得するために、比較的に大きな配備領域に対して、複数のアクセスポイント（ＡＰ：Ａｃｃｅｓｓ  Ｐｏｉｎｔ）を配備する必要があり、ここで、ＡＰの配備は、ＡＰの数、位置、チャネル及び送信電力の配備を含む。
【０００３】
なお、上述した技術背景の説明は、本発明の技術案を明確、完全に理解させるための説明であり、当業者を理解させるために記述されているものである。これらの技術案は、単なる本発明の背景技術部分として説明されたものであり、当業者により周知されたものではない。
【発明の概要】
【発明が解決しようとする課題】
【０００４】
従来技術では、配備すべき領域に対して無線ネットワークを配備する際に、通常、配備すべき領域を一体として無線ネットワークの配備を考慮するため、このように得られた無線ネットワークの配備スキームのリソース利用率は低い。
【０００５】
本発明の実施例は、配備すべき領域をサブ領域に分割し、各サブ領域について無線ネットワークを独立して配備し、未配備のサブ領域に対して無線ネットワークを配備する場合、ＡＰ配備済みのサブ領域の残りリソースを考慮することで、ネットワーク性能要求をより満たす無線ネットワークを取得でき、リソース利用率を向上でき、構築コストを節約できる無線ネットワークの配備方法及び装置を提供する。
【課題を解決するための手段】
【０００６】
本発明の実施例は、以下の技術的手段により上記目的を達成する。
【０００７】
本発明の実施例の第１態様では、無線ネットワークの配備装置であって、配備すべき領域を複数のサブ領域に分割する第１分割手段と、各サブ領域に対してアクセスポイント（ＡＰ）を配備する第１決定手段であって、前記複数のサブ領域のうちＡＰ配備済みのサブ領域以外のＡＰ未配備のサブ領域に対してＡＰを配備する場合、ＡＰ配備済みのサブ領域の残りリソースに基づいて、前記ＡＰ未配備のサブ領域のＡＰ配備スキームを決定する、第１決定手段と、を含み、前記残りリソースは、配備されたＡＰにアクセス可能なユーザの数と実際にアクセスしたユーザの数との差である、装置を提供する。
【０００８】
本発明の実施例の第２態様では、無線ネットワークの配備方法であって、配備すべき領域を複数のサブ領域に分割するステップと、各サブ領域に対してアクセスポイント（ＡＰ）を配備するステップであって、前記複数のサブ領域のうちＡＰ配備済みのサブ領域以外のＡＰ未配備のサブ領域に対してＡＰを配備する場合、ＡＰ配備済みのサブ領域の残りリソースに基づいて前記ＡＰ未配備のサブ領域のＡＰ配備スキームを決定する、ステップと、を含み、前記残りリソースは、配備されたＡＰにアクセス可能なユーザの数と実際にアクセスしたユーザの数との差である、方法を提供する。
【０００９】
本発明の効果としては、本実施例の上記の方法及び装置によれば、配備すべき領域をサブ領域に分割し、各サブ領域について無線ネットワークを独立して配備し、未配備のサブ領域に対して無線ネットワークを配備する場合、配備済みのサブ領域の残りリソースを考慮することで、ネットワーク性能要求をより満たす無線ネットワークを取得でき、リソース利用率を向上でき、構築コストを節約できる。
【００１０】
本発明の特定の実施形態は、後述の説明及び図面に示すように、詳細に開示され、本発明の原理を採用されることが可能な方式を示している。なお、本発明の実施形態は、範囲上には限定されるものではない。本発明の実施形態は、添付されている特許請求の範囲の主旨及び内容の範囲内、各種の改変、修正、及び同等的なものが含まれる。
【００１１】
ある一つの実施形態に説明及び又は示されている特徴は、同一又は類似の方式で一つ又は多くの他の実施形態に使用されてもよく、他の実施形態における特徴と組み合わせてもよく、他の実施形態における特徴を代替してもよい。
【００１２】
なお、用語「包括／含む」は、本文に使用される際に、特徴、要素、ステップ又は構成要件の存在を意味し、一つ又は複数の他の特徴、要素、ステップ又は構成要件の存在又は追加を排除するものではない。
【図面の簡単な説明】
【００１３】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】実施例１の無線ネットワークの配備方法のフローチャートである。
【図２】実施例１における配備すべき領域の分割を示す図である。
【図３】実施例１における配備すべき領域の分割を示す図である。
【図４】実施例１における配備すべき領域の分割を示す図である。
【図５】実施例１における配備すべき領域の分割を示す図である。
【図６】図１におけるステップ１０２の実施方法のフローチャートである。
【図７】実施例２の無線ネットワークの配備方法のフローチャートである。
【図８】図７におけるステップ７０３の実施方法のフローチャートである。
【図９】実施例３の１つの無線ネットワークの配備方法のフローチャートである。
【図１０】実施例３のもう１つの無線ネットワークの配備方法のフローチャートである。
【図１１】実施例４の無線ネットワークの配備装置を示す図である。
【図１２】図１１における第１決定部を示す図である。
【図１３】実施例４における無線ネットワークの配備装置のハードウェア構成を示す図である。
【図１４】実施例５の無線ネットワークの配備装置を示す図である。
【図１５】図１４における第１決定部を示す図である。
【図１６】実施例５における無線ネットワークの配備装置のハードウェア構成を示す図である。
【発明を実施するための形態】
【００１４】
図面及び下記の明細書を参照しながら、本発明の実施例の上記及び他の特徴を説明する。これらの実施形態は単なる例示的なものであり、本発明を限定するものではない。当業者に本発明の原理及び実施形態を簡単に理解させるため、本発明の実施例ではＷＬＡＮネットワークを一例にして説明するが、本発明の実施例はＷＬＡＮネットワークに限定されず、例えば、本発明の実施例に係る方法及び装置は、無線ネットワークの配備を行う必要のある他のネットワークに適用されてもよい。
【００１５】
以下は、図面を参照しながら本発明の具体的な実施形態を説明する。
【００１６】
＜実施例１＞
本実施例１は無線ネットワークの配備方法を提供する。
【００１７】
図１は本実施例１の無線ネットワークの配備方法のフローチャートであり、図１に示すように、該方法は以下のステップを含む。
【００１８】
ステップ１０１：配備すべき領域を複数のサブ領域に分割する。
【００１９】
ステップ１０２：各サブ領域に対してアクセスポイント（ＡＰ）を配備する。ここで、
該複数のサブ領域のうちＡＰ配備済みのサブ領域以外のＡＰ未配備のサブ領域に対してＡＰを配備する場合、ＡＰ配備済みのサブ領域の残りリソースに基づいて、該ＡＰ未配備のサブ領域のＡＰ配備スキームを決定する。
【００２０】
ここで、該残りリソースは、配備されたＡＰにアクセス可能なユーザの数と実際にアクセスしたユーザの数との差である。
【００２１】
本実施例の上記方法によれば、配備すべき領域をサブ領域に分割し、各サブ領域について無線ネットワークを独立して配備し、未配備のサブ領域に対して無線ネットワークを配備する場合、配備済みのサブ領域の残りリソースを考慮することで、ネットワーク性能要求をより満たす無線ネットワークを取得でき、リソース利用率を向上でき、構築コストを節約できる。
【００２２】
ステップ１０１において、実際の状況に応じて、任意の方法を用いて配備すべき領域を分割してもよく、例えば配備すべき領域の形状、及び／又は機能要求、及び／又は所定の領域／ユーザの重要度レベル、及び／又はネットワークのカバレッジ状況などに基づいて分割してもよく、以下は例を挙げて説明する。
【００２３】
１つの態様では、配備すべき領域の形状に基づいて配備すべき領域を複数のサブ領域に分割してもよい。例えば、配備すべき領域が規則的な図形である場合、該配備すべき領域を所定数の多角形領域、例えば三角形、四角形、六角形に分割してもよい。配備すべき領域が不規則な図形である場合、該配備すべき領域を所定数の規則的な形状及び／又は不規則な形状を有する多角形領域に分割してもよいが、本実施例はこれに限定されない。
【００２４】
図２及び図３は配備すべき領域の分割を示す図である。図２に示すように、該配備すべき領域は規則的な図形、即ち三角形であり、領域を分割する際に、配備すべき領域を４つの小さな三角形により構成された４つのサブ領域に分割してもよい。図３に示すように、該配備すべき領域は不規則な図形であり、配備すべき領域を４つの不規則なサブ領域に分割してもよい。
【００２５】
１つの態様では、異なる機能要求に応じて配備すべき領域を分割してもよい。例えば、会社では、機能に応じて、会社の配備すべき領域を会議室エリア、業務エリア、応接室エリア等に分割してもよい。例えば、ショッピングモールでは、１つの領域に常にイベントを開催し、一部の領域に一般的な売り場のみを提供するため、ショッピングモールの配備すべき領域をイベント領域と非イベント領域に分割してもよい。
【００２６】
図４は上記の態様の配備すべき領域の分割を示す図である。図４に示すように、該配備すべき領域は会社の領域であり、機能に応じて、配備すべき領域を会議室エリアＡ、業務エリアＢ、応接室エリアＣ、倉庫エリアＤ及び多機能エリアＥという５つのサブ領域に分割してもよい。
【００２７】
１つの態様では、所定の条件に基づいて重要度レベルを決定し、重要度レベルに基づいて配備すべき領域を分割してもよい。例えば、所定の条件は、ユーザのネットワーク性能への要求であってもよいが、本実施例はこれに限定されない。例えば、会社では、会議室エリア、業務エリアのネットワーク性能への要求が比較的に高いため、会議室エリア及び業務エリアを重要度レベルの比較的に高いサブ領域に分割してもよく、応接室エリアのネットワーク性能への要求が比較的に低いため、応接室エリアを重要度レベルの比較的に低いサブ領域に分割してもよい。例えば、ショッピングモールでは、イベントを常に開催する領域のネットワーク性能への要求が比較的に高いため、該イベント領域を重要度レベルの比較的に高いサブ領域に分割してもよく、一般的な売り場のみを提供する領域のネットワーク性能への要求が比較的に低いため、該非イベント領域を重要度レベルの比較的に低いサブ領域に分割してもよい。例えば、１つの配備領域において、所定の条件に基づいて各アクセスしたユーザのために重要度レベルを設定し、連続的、且つ重要度レベルの同一のユーザを１つのサブ領域に分割し、該サブ領域のユーザの重要度は該サブ領域の重要度レベルであり、このように、配備すべき領域を重要度レベルの異なる複数のサブ領域に分割する。以上は、ネットワーク性能の要求が高いほど、重要度レベルが高くなるように設定することを一例にして重要度レベルの決定を説明しているが、本実施例はこれに限定されず、例えばネットワーク性能の要求が低いほど、重要度レベルが高くなるように設定してもよい。
【００２８】
図５は上記態様の配備すべき領域の分割を示す図である。図５に示すように、該配備すべき領域はユーザの密度に基づいてユーザ１〜１２の位置を決定する。ここで、ユーザ１〜４のネットワーク性能への要求が高く、ユーザ１〜４のために重要度レベル１を設定し、ユーザ５〜８のネットワーク性能への要求が中等であり、ユーザ５〜８のために重要度レベル２を設定し、ユーザ９〜１２のネットワーク性能への要求が低く、ユーザ９〜１２のために重要度レベル３を設定する。連続的、且つ重要度レベルが１のユーザ１〜４をサブ領域Ａに分割し、連続的、且つ重要度レベルが２のユーザ５〜８をサブ領域Ｂに分割し、連続的、且つ重要度レベルが３のユーザ９〜１２をサブ領域Ｃに分割することで、配備すべき領域を複数のサブ領域Ａ、Ｂ及びＣに分割する。ここで、サブ領域Ａの重要度レベルは１であり、サブ領域Ｂの重要度レベルは２であり、サブ領域Ｃの重要度レベルは３である。
【００２９】
１つの態様では、無線ネットワークのカバーの有無に基づいて配備すべき領域を分割してもよい。例えば、配備すべき領域には、１つのＡＰが既に存在し、該ＡＰ近傍の所定範囲内の領域を１つのサブ領域に分割し、残りの範囲内の領域を１つのサブ領域に分割してもよい。
【００３０】
以上は、具体的な例を参照しながら配備すべき領域の分割を説明しているが、分割方法は上記の例に限定されず、ここで他の例の列挙を省略する。
【００３１】
ステップ１０２において、領域分割が完了した後に、各サブ領域に対してＡＰを配備し、ＡＰ未配備のサブ領域に対してＡＰを配備する場合、ＡＰ配備済みのサブ領域の残りリソースに基づいて未配備のサブ領域に対してＡＰを配備する。ここで、ＡＰの配備は、ＡＰの数、位置、チャネル及び送信電力などの情報の決定を含む。
【００３２】
本実施例では、ステップ１０２において、任意の順序にＡＰ未配備のサブ領域に対してＡＰを配備してもよい。また、所定の順序にＡＰ未配備のサブ領域に対してＡＰを配備してもよい。例えば、分割されたサブ領域のネットワーク性能への要求又は重要度レベルに基づいてＡＰ未配備のサブ領域に対して１つずつＡＰを配備してもよいが、本実施例はこれに限定されない。例えば、ネットワーク性能への要求の高い順又は重要度レベルの大きい順に配備を行ってもよいが、逆の順序であってもよい。
【００３３】
例えば、分割されたサブ領域のネットワーク性能への要求に基づいてＡＰ未配備のサブ領域に対して１つずつＡＰを配備してもよく、ＡＰ未配備のサブ領域がＡＰ配備済みのサブ領域の残りリソースを使用する場合、例えばＡＰ配備済みのサブ領域の満たすネットワーク性能の大きい順にＡＰ未配備のサブ領域に対して１つずつＡＰを配備してもよい。該ネットワーク性能は、Ｑｏｓ、スループット等であってもよい。例えば、現在のＡＰ未配備のサブ領域はサブ領域１、２及び３であり、サブ領域１、２及び３がＡＰ配備済みのサブ領域の残りリソースを使用する場合、ネットワークのスループットの関係は１＞３＞２となり、サブ領域１、３、２に対してＡＰ配備を順次行ってもよい。
【００３４】
例えば、コスト要求に基づいてＡＰ未配備のサブ領域に対して１つずつＡＰを配備してもよく、ＡＰ未配備のサブ領域がＡＰ配備済みのサブ領域の残りリソースを使用する場合、例えば配備すべきＡＰの数の小さい順にＡＰ未配備のサブ領域に対して１つずつＡＰを配備してもよい。例えば、現在のＡＰ未配備のサブ領域はサブ領域１、２及び３であり、サブ領域１、２及び３がＡＰ配備済みのサブ領域の残りリソースを使用する場合、配備すべきＡＰの数の関係は２＞１＞３となり、サブ領域３、１、２に対してＡＰ配備を順次行ってもよい。
【００３５】
例えば、重要度レベルに基づいてＡＰ未配備のサブ領域に対して１つずつＡＰを配備してもよく、例えば重要度レベルの小さい順又は大きい順にＡＰ未配備のサブ領域に対して１つずつＡＰを配備してもよい。例えば、現在のＡＰ未配備のサブ領域はサブ領域１、２及び３であり、重要度レベルの関係は１＞３＞２となり、サブ領域１、３、２又は２、３、１に対してＡＰ配備を順次行ってもよい。
【００３６】
本実施例では、ステップ１０２において、各サブ領域に対してＡＰを配備する場合、ＡＰ配備済みのサブ領域の残りリソースに基づいて該サブ領域のＡＰ配備スキームを決定する。
【００３７】
図６はステップ１０２においてＡＰ未配備のサブ領域のＡＰ配備スキームの決定方法のフローチャートであり、図６に示すように、該方法は以下のステップを含む。
【００３８】
ステップ６０１：該ＡＰ未配備のサブ領域における該残りリソースにアクセスでき、且つネットワーク性能が第１所定条件を満たす第１ユーザの総数を決定する。
【００３９】
ステップ６０２：該第１ユーザの総数が該残りリソース以下であり、且つ該ＡＰ未配備のサブ領域に該第１ユーザ以外に第１残りユーザが存在する場合、ＡＰ未配備のサブ領域の第１残りユーザの分布に基づいて、該ＡＰ未配備のサブ領域のＡＰ配備スキームを決定する。
【００４０】
ステップ６０３：該第１ユーザの総数が該残りリソースよりも大きい場合、該第１ユーザから該残りリソース以下の数の第２ユーザを選択し、該ＡＰ未配備のサブ領域の該第２ユーザ以外の第２残りユーザの分布に基づいて、該ＡＰ未配備のサブ領域のＡＰ配備スキームを決定する。
【００４１】
ステップ６０１において、ＡＰ配備済みのサブ領域における残りリソースを有するＡＰのカバレッジに基づいて、該ＡＰ未配備のサブ領域における該残りリソースを有するＡＰにアクセスできるユーザの総数を決定し、その中からネットワーク性能が第１所定条件を満たす第１ユーザを選択し、該第１ユーザの総数を決定してもよい。該ネットワーク性能は、１つ又は複数のネットワーク性能の指標であってもよく、例えばＱｏｓ、スループット、遅延などが所定値を満たすことであってもよい。
【００４２】
ステップ６０２の前に、該方法は、該ＡＰの残りリソースの数を決定すること（図示せず）をさらに含んでもよい。ここで、該残りリソースは、配備されたＡＰにアクセス可能なユーザの数と実際にアクセスしたユーザの数との差である。該第１ユーザの総数が該残りリソースの数以下であるか否かを判断し、判断結果がＹＥＳの場合、ステップ６０２を実行し、そうでない場合、ステップ６０３を実行する。
【００４３】
ステップ６０２において、該第１ユーザの総数が該残りリソース数以下である場合は、該第１ユーザの全てがＡＰ配備済みのサブ領域の残りリソースを使用できることを意味し、該第１ユーザの全てを該ＡＰ配備済みのサブ領域の残りリソースを有するＡＰにアクセスさせてもよい。ＡＰ未配備のサブ領域に該第１ユーザ以外にＡＰにアクセスしていない第１残りユーザが存在しないとき、該ＡＰ未配備のサブ領域にＡＰを配備する必要がない。ＡＰ未配備のサブ領域に該第１残りユーザが存在するとき、ＡＰ未配備のサブ領域の該第１残りユーザの分布に基づいて該ＡＰ未配備のサブ領域のＡＰ配備スキームを決定する。例えば、まず第１配備スキーム集合をランダムに生成し、未配備領域における第１残りユーザの数及びユーザ位置に基づいて第１残りユーザの実際の分布を構成し、或いは、ユーザの実際の分布に基づいて端末の類型及び分布をさらに構成し、少なくとも１つのネットワーク配備の応用シナリオを取得し、各無線ネットワークの応用シナリオについて、第１配備スキーム集合における各配備スキームのネットワーク性能を計算し、所定条件を満たしている配備スキームを最終的なＡＰ未配備のサブ領域のＡＰ配備スキームとして決定してもよい。以上は、第１残りユーザの分布に基づくＡＰ配備スキームの決定方法を例示的に説明しているが、本実施例はこれに限定されない。
【００４４】
ステップ６０３において、該第１ユーザの総数が該残りリソース数よりも大きい場合、該第１ユーザの全てがＡＰ配備済みのサブ領域の残りリソースを使用できることではないと意味し、この場合は、該第１ユーザから、ＡＰ配備済みのサブ領域の残りリソースを使用できる第２ユーザを選択し、ＡＰ未配備のサブ領域の該第２ユーザ以外の第２残りユーザの分布に基づいて該ＡＰ未配備のサブ領域のＡＰ配備スキームを決定してもよい。本実施例では、第２ユーザがＡＰ配備済みのサブ領域の残りリソースを使用できるように、該第１ユーザから幾つかの第２ユーザを任意に選択してもよい。また、ネットワーク性能を向上するために、第１ユーザから第２所定条件を満たしているユーザを選択してもよく、該ネットワーク性能は上述したものであり、ここでその説明を省略する。ここで、該第２ユーザの総数が該残りリソースの数以下である場合、該第２ユーザの全ては該ＡＰ配備済みのサブ領域の残りリソースを有するＡＰにアクセスでき、ＡＰ未配備のサブ領域の該第２ユーザ以外の第２残りユーザの分布に基づいて該ＡＰ未配備のサブ領域のＡＰ配備スキームを決定し、その具体的な決定方法はステップ６０２を参照してもよく、ここでその説明を省略する。
【００４５】
上記実施例によれば、配備すべき領域をサブ領域に分割し、各サブ領域について無線ネットワークを独立して配備し、未配備のサブ領域に対して無線ネットワークを配備する場合、配備済みのサブ領域の残りリソースを考慮することで、ネットワーク性能要求をより満たす無線ネットワークを取得でき、リソース利用率を向上でき、構築コストを節約できる。
【００４６】
＜実施例２＞
本実施例２は無線ネットワークの配備方法を提供し、実施例１と異なって、ステップ１０２において、ＡＰ未配備のサブ領域に対してＡＰを配備する際に、ＡＰ配備済みのサブ領域の残りリソースを考慮することだけではなく、各ＡＰ配備済みのサブ領域の残りリソースにおける多重化可能なリソースの割合をさらに考慮する必要がある。
【００４７】
図７は本実施例の無線ネットワークの配備方法のフローチャートであり、図７に示すように、該方法は以下のステップを含む。
【００４８】
ステップ７０１：配備すべき領域を複数のサブ領域に分割する。
【００４９】
ステップ７０２：各サブ領域の残りリソースにおける多重化可能なリソースの割合を決定する。
【００５０】
ステップ７０３：各サブ領域に対してアクセスポイント（ＡＰ）を配備する。ここで、該複数のサブ領域のうちＡＰ配備済みのサブ領域以外のＡＰ未配備のサブ領域に対してＡＰを配備する場合、該ＡＰ配備済みのサブ領域の残りリソース及び該ＡＰ配備済みのサブ領域の残りリソースにおける多重化可能なリソースの割合に基づいて、ＡＰ配備スキームを決定する。
【００５１】
ここで、該残りリソースは、配備されたＡＰにアクセス可能なユーザの数と実際にアクセスしたユーザの数との差である。
【００５２】
上記実施例によれば、配備すべき領域をサブ領域に分割し、各サブ領域について無線ネットワークをそれぞれ配備し、未配備のサブ領域に対して無線ネットワークを配備する場合、配備済みのサブ領域の残りリソース及び多重化可能なリソースの割合を考慮することで、ネットワーク性能要求をより満たす無線ネットワークを取得でき、リソース利用率を向上でき、構築コストを節約できる。
【００５３】
ここで、該ステップ７０１の具体的な態様は実施例１におけるステップ１０１を参照してもよく、ここでその説明を省略する。
【００５４】
例えば、１つの態様では、ステップ７０１において、重要度レベルに基づいて配備すべき領域を重要度レベルの異なる複数のサブ領域に分割してもよく、その具体的な態様は実施例１におけるステップ１０１及び図５を参照してもよい。
【００５５】
ステップ７０２において、重要度レベルの高いサブ領域のネットワーク性能の要求が比較的に高い場合、ＡＰ未配備のサブ領域においてリソース多重化を行う際に、重要度レベルの高いＡＰ配備済みのサブ領域のネットワーク性能が影響を受けないことを確保する必要がある。即ち、多重化可能なリソースの割合を決定する際に、重要度レベルの高いサブ領域の多重化可能なリソースの割合を低くするように設定し、重要度レベルの高いＡＰ配備済みのサブ領域の多重化可能なリソースが十分であることを確保してもよい。なお、本実施例はこれに限定されず、他のネットワーク性能の要求に基づいて各サブ領域の残りリソースにおける多重化可能なリソースの割合を決定してもよく、例えばネットワーク性能の要求の高いサブ領域について、多重化可能なリソースの割合を低くするように決定してもよい。
【００５６】
従って、重要度レベルに応じて、配備すべき領域をサブ領域に分割し、各サブ領域に対して無線ネットワークをそれぞれ配備することで、異なる重要度レベルの異なるネットワーク性能の要求について、ネットワーク性能要求をより満たす無線ネットワークを取得でき、リソース利用率を向上でき、構築コストを節約できる。本実施例では、ステップ７０３は、配備すべき領域における各サブ領域の何れにもＡＰが配備されていない場合、１つのサブ領域を任意に選択し、或いは所定条件に基づいて１つのサブ領域を選択し、該サブ領域内のユーザ分布に基づいてＡＰ配備を行うステップ（図示せず）をさらに含む。ここで、該所定条件は、例えば重要度レベルの最も高いサブ領域、最も低いサブ領域、又は所定の重要度レベルのサブ領域を選択することであってもよいが、本実施例はこれに限定されない。
【００５７】
本実施例では、ステップ７０３は、任意の順序にＡＰ未配備のサブ領域に対してＡＰを配備し、或いは所定の順序にＡＰ未配備のサブ領域に対してＡＰを配備するステップ（図示せず）をさらに含む。例えば、分割されたサブ領域のネットワーク性能への要求又は重要度レベルに基づいてＡＰ未配備のサブ領域に対して１つずつＡＰを配備してもよいが、本実施例はこれに限定されない。例えば、ネットワーク性能への要求の高い順又は重要度レベルの大きい順に配備を行ってもよいが、逆の順序であってもよい。その具体的な例は実施例１を参照してもよく、ここでその説明を省略する。
【００５８】
本実施例では、該選択されたサブ領域に対してＡＰを配備する場合、ＡＰ配備済みのサブ領域の残りリソース及び多重化可能なリソースの割合に基づいて該サブ領域のＡＰ配備スキームを決定する。
【００５９】
図８はステップ７０３においてＡＰ未配備のサブ領域のＡＰ配備スキームの決定方法の１つの態様のフローチャートであり、図８に示すように該方法は以下のステップを含む。
【００６０】
ステップ８０１：該ＡＰ配備済みのサブ領域の前記残りリソース及び該多重化可能なリソースの割合に基づいて、該ＡＰ配備済みのサブ領域の第１多重化可能リソースを決定する。
【００６１】
ステップ８０２：ＡＰ未配備のサブ領域における該第１多重化可能リソースにアクセスでき、且つネットワーク性能が第１所定条件を満たす第３ユーザの総数を決定する。
【００６２】
ステップ８０３：該第３ユーザの総数が該第１多重化可能リソース以下であり、且つＡＰ未配備のサブ領域に前記第３ユーザ以外に第３残りユーザが存在する場合、ＡＰ未配備のサブ領域の第３残りユーザの分布に基づいて、該ＡＰ未配備のサブ領域のＡＰ配備スキームを決定する。
【００６３】
ステップ８０４：該第３ユーザの総数が該第１多重化可能リソースよりも大きい場合、該第３ユーザから該第１多重化可能リソース以下の数の第４ユーザを選択し、ＡＰ未配備のサブ領域の該第４ユーザ以外の第４残りユーザの分布に基づいて、該ＡＰ未配備のサブ領域のＡＰ配備スキームを決定する。
【００６４】
ステップ８０１において、該ＡＰ配備済みのサブ領域のＡＰ残りリソース数を決定する。ここで、該残りリソース数は、配備されたＡＰにアクセス可能なユーザの数と実際にアクセスしたユーザの数との差である。該ＡＰ配備済みのサブ領域の残りリソース数にＡＰ配備済みのサブ領域の多重化可能なリソースの割合を乗算し、該ＡＰ配備済みのサブ領域の第１多重化可能リソースを決定する。
【００６５】
ステップ８０２において、ＡＰ配備済みのサブ領域における該第１多重化可能リソースを有するＡＰのカバレッジに基づいて、該ＡＰ未配備のサブ領域において、該ＡＰにアクセスできるユーザの総数を決定し、その中からネットワーク性能が第１所定条件を満たす第３ユーザを選択し、該第３ユーザの総数を決定してもよい。ここで、該ネットワーク性能は、１つ又は複数のネットワーク性能の指標であってもよく、例えばＱｏｓ、スループット、遅延などが所定値を満たすことであってもよい。
【００６６】
ステップ８０３の前に、該方法は、該第３ユーザの総数が第１多重化可能リソース数以下であるか否かを判断し、判断結果がＹＥＳの場合、ステップ８０３を実行し、そうでない場合、ステップ８０４を実行するステップ（図示せず）をさらに含んでもよい。
【００６７】
ステップ８０３において、該第３ユーザの総数が該第１多重化可能リソース数以下である場合は、該第３ユーザの全てがＡＰ配備済みのサブ領域の第１多重化可能リソースを使用できることを意味し、該第３ユーザの全てを該ＡＰ配備済みのサブ領域の第１多重化可能リソースを有するＡＰにアクセスさせてもよい。ＡＰ未配備のサブ領域に該第３ユーザ以外にＡＰにアクセスしていない第３残りユーザが存在しないとき、該ＡＰ未配備のサブ領域にＡＰを配備する必要がない。ＡＰ未配備のサブ領域に該第３残りユーザが存在するとき、ＡＰ未配備のサブ領域の該第３残りユーザの分布に基づいて該ＡＰ未配備のサブ領域のＡＰ配備スキームを決定し、その具体的な決定方法はステップ６０２を参照してもよく、ここでその説明を省略する。
【００６８】
ステップ８０４において、該第３ユーザの総数が該第１多重化可能リソース数よりも大きい場合、該第３ユーザの全てがＡＰ配備済みのサブ領域の第１多重化可能リソースを使用できることではないと意味し、この場合は、該第３ユーザから、ＡＰ配備済みのサブ領域の第１多重化可能リソースを使用できる第４ユーザを選択し、ＡＰ未配備のサブ領域の該第４ユーザ以外の第４残りユーザの分布に基づいて該ＡＰ未配備のサブ領域のＡＰ配備スキームを決定してもよい。本実施例では、第４ユーザがＡＰ配備済みのサブ領域の第１多重化可能リソースを使用できるように、該第３ユーザから幾つかの第４ユーザを任意に選択してもよい。また、ネットワーク性能を向上するために、第３ユーザから第２所定条件を満たしているユーザを選択してもよく、該ネットワーク性能は上述したものであり、ここでその説明を省略する。ここで、該第４ユーザの総数が該第１多重化可能リソースの数以下である場合、該第４ユーザの全ては該ＡＰ配備済みのサブ領域の第１多重化可能リソースを有するＡＰにアクセスでき、第４残りユーザの分布に基づいて該ＡＰ未配備のサブ領域のＡＰ配備スキームを決定し、その具体的な決定方法はステップ６０２を参照してもよく、ここでその説明を省略する。
【００６９】
上記実施例によれば、配備すべき領域をサブ領域に分割し、各サブ領域について無線ネットワークを独立して配備し、未配備のサブ領域に対して無線ネットワークを配備する場合、配備済みのサブ領域の残りリソース及び多重化可能なリソースの割合を考慮することで、ネットワーク性能要求をより満たす無線ネットワークを取得でき、リソース利用率を向上でき、構築コストを節約できる。
【００７０】
＜実施例３＞
本実施例３は無線ネットワークの配備方法を提供する。図９は本実施例の無線ネットワークの配備方法のフローチャートであり、図９に示すように、該方法は以下のステップを含む。
【００７１】
ステップ９０１：配備すべき領域をＳ個のサブ領域Ｒ１，Ｒ２，…Ｒｉ…，ＲＳに分割し、ここで、ｉ∈［１，Ｓ］。
【００７２】
その具体的な態様は実施例１におけるステップ１０１を参照してもよく、ここでその説明を省略する。
【００７３】
例えば、所定条件に基づいて配備すべき領域の各アクセスしたユーザのために重要度レベル１，２，３，…，Ｓを設定し、連続的、且つ重要度レベルの同一のユーザを１つのサブ領域に分割し、該サブ領域のユーザの重要度レベルは該サブ領域の重要度レベルであり、このように、配備すべき領域を重要度レベルの異なる複数のサブ領域Ｒ１，Ｒ２，…Ｒｉ…，ＲＳに分割する。
【００７４】
ステップ９０２：上記Ｓ個のサブ領域から１つのサブ領域Ｒｊを選択し、ｊ＝１。
【００７５】
ここで、ステップ９０２の態様は実施例２を参照してもよい。例えば、ステップ９０１において重要度レベルに基づいてサブ領域の分割を行う場合、重要度レベルの最も高いサブ領域を優先してＡＰ配備を行い、或いは重要度レベルの最も低いサブ領域を優先してＡＰ配備を行い、或いは重要度レベルが所定レベルのサブ領域を優先してＡＰ配備を行い、例えば、重要度レベルＮ＝１のサブ領域を選択する。ステップ９０１において、他の方法でサブ領域の分割を行う場合、任意の１つのサブ領域を選択してもよいが、本実施例はこれに限定されない。
【００７６】
ステップ９０３：該サブ領域Ｒ１のユーザ分布に基づいてＡＰ配備スキームを決定する。
【００７７】
ステップ９０４：残りのＡＰ未配備のサブ領域から１つのサブ領域Ｒｊを選択し、ｊ＝ｊ＋１。
【００７８】
ここで、ステップ９０４の具体的な態様は実施例１を参照してもよい。
【００７９】
例えば、ステップ９０１において重要度レベルに基づいてサブ領域の分割を行う場合、重要度レベルがＡＰ配備済みのサブ領域よりも第１閾値だけ高いＡＰ未配備のサブ領域を選択してもよいし、重要度レベルがＡＰ配備済みのサブ領域よりも第１閾値だけ低いＡＰ未配備のサブ領域を選択してもよいし、重要度レベルがＡＰ配備済みのサブ領域と隣接する未配備のサブ領域を選択してもよいが、本実施例では、例えば重要度レベルＮ＝Ｎ＋１のサブ領域を選択する。
【００８０】
ステップ９０５：ＡＰ未配備のサブ領域Ｒｊにおける該残りリソースにアクセスでき、且つネットワーク性能が第１所定条件を満たす第１ユーザの総数を決定する。
【００８１】
ここで、その具体的な態様はステップ６０１を参照してもよく、ここでその説明を省略する。
【００８２】
ステップ９０６：該第１ユーザの総数が該残りリソース以下であるか否かを判断し、判断結果がＹＥＳの場合、ステップ９０７を実行し、そうでない場合、ステップ９０９を実行する。
【００８３】
ステップ９０７：ＡＰ未配備のサブ領域に第１ユーザ以外にＡＰにアクセスしていない残りユーザが存在するか否かを判断し、判断結果がＹＥＳの場合、ステップ９０８を実行し、そうでいない場合、ステップ９１１を実行する。
【００８４】
ステップ９０８：ＡＰ未配備のサブ領域Ｒｊのユーザのうち第１ユーザ以外の第１残りユーザの分布に基づいて、ＡＰ未配備のサブ領域ＲｊのＡＰ配備スキームを決定し、ステップ９１１を実行する。
【００８５】
ステップ９０９：該第１ユーザから第２ユーザを選択し、該第２ユーザの総数は該残りリソースの数以下である。第２ユーザの具体的な選択方法は実施例１を参照してもよく、ここでその説明を省略する。
【００８６】
ステップ９１０：ＡＰ未配備のサブ領域Ｒｊのユーザのうち該第２ユーザ以外の第２残りユーザの分布に基づいて、該ＡＰ未配備のサブ領域のＡＰ配備スキームを決定する。
【００８７】
ここで、ステップ９０１〜９１０の具体的な態様はステップ６０２〜６０３を参照してもよく、ここでその説明を省略する。
【００８８】
ステップ９１１：ＡＰ未配備のサブ領域があるか否か、即ちｊがＳよりも小さいか否かを判断し、判断結果がＹＥＳの場合、ステップ９０４に戻り、そうでない場合、処理を終了する。
【００８９】
上記実施例によれば、配備すべき領域をサブ領域に分割し、各サブ領域について無線ネットワークを独立して配備し、未配備のサブ領域に対して無線ネットワークを配備する場合、配備済みのサブ領域の残りリソースを考慮することで、ネットワーク性能要求をより満たす無線ネットワークを取得でき、リソース利用率を向上でき、構築コストを節約できる。
【００９０】
図１０は無線ネットワークの配備方法のフローチャートであり、図１０に示すように、該方法は以下のステップを含む。
【００９１】
ステップ１００１：配備すべき領域をＳ個のサブ領域Ｒ１，Ｒ２，…Ｒｊ…，ＲＳに分割し、ここで、ｉ∈［１，Ｓ］。
【００９２】
その具体的な態様はステップ９０１を参照してもよく、ここでその説明を省略する。
【００９３】
ステップ１００２：各サブ領域の多重化可能なリソースの割合を決定する。
【００９４】
その具体的な態様は実施例２のステップ７０２を参照してもよく、ここでその説明を省略する。
【００９５】
ステップ１００３：上記Ｓ個のサブ領域から１つのサブ領域Ｒｊを選択し、ｊ＝１。
【００９６】
ステップ１００４：該サブ領域Ｒｊのユーザ分布に基づいてＡＰ配備スキームを決定する。
【００９７】
ステップ１００５：残りのＡＰ未配備のサブ領域から１つのサブ領域Ｒｊを選択し、ｊ＝ｊ＋１。
【００９８】
ここで、ステップ１００３〜１００５の具体的な態様はステップ９０２〜９０４を参照してもよく、ここでその説明を省略する。
【００９９】
ステップ１００６：ＡＰ配備済みのサブ領域の残りリソース及び多重化可能なリソースの割合に基づいて、該ＡＰ配備済みのサブ領域の第１多重化可能リソースを決定する。
【０１００】
ステップ１００７：ＡＰ未配備のサブ領域における該第１多重化可能リソースにアクセスでき、且つネットワーク性能が第１所定条件を満たす第３ユーザの総数を決定する。
【０１０１】
ここで、その具体的な態様はステップ８０２を参照してもよく、ここでその説明を省略する。
【０１０２】
ステップ１００８：該第３ユーザの総数が該第１多重化可能リソース以下であるか否かを判断し、判断結果がＹＥＳの場合、ステップ１００９を実行し、そうでない場合、ステップ１０１１を実行する。
【０１０３】
ステップ１００９：ＡＰ未配備のサブ領域に第３ユーザ以外にＡＰにアクセスしていない第３残りユーザが存在するか否かを判断し、判断結果がＹＥＳの場合、ステップ１０１０を実行し、そうでない場合、ステップ１０１３を実行する。
【０１０４】
ステップ１０１０：ＡＰ未配備のサブ領域のユーザのうち該第３ユーザ以外の残りユーザの分布に基づいて、該ＡＰ未配備のサブ領域のＡＰ配備スキームを決定し、ステップ１０１３を実行する。
【０１０５】
ステップ１０１１：該第３ユーザから第４ユーザを選択し、ここで、第４ユーザの総数は該第１多重化可能リソースの数以下である。ここで、該第４ユーザの具体的な選択方法は実施例２を参照してもよく、ここでその説明を省略する。
【０１０６】
ステップ１０１２：ＡＰ未配備のサブ領域のユーザのうち該第４ユーザ以外の第４残りユーザの分布に基づいて、該ＡＰ未配備のサブ領域のＡＰ配備スキームを決定する。
【０１０７】
ここで、ステップ１００９〜１０１２の具体的な態様はステップ８０３〜８０４を参照してもよく、ここでその説明を省略する。
【０１０８】
ステップ１０１３：ＡＰ未配備のサブ領域があるか否か、即ちｊがＳよりも小さいか否かを判断し、判断結果がＹＥＳの場合、ステップ１００５に戻り、そうでない場合、処理を終了する。
【０１０９】
上記実施例によれば、配備すべき領域をサブ領域に分割し、各サブ領域について無線ネットワークを独立して配備し、未配備のサブ領域に対して無線ネットワークを配備する場合、配備済みのサブ領域の残りリソース及び多重化可能なリソースの割合を考慮することで、ネットワーク性能要求をより満たす無線ネットワークを取得でき、リソース利用率を向上でき、構築コストを節約できる。
【０１１０】
＜実施例４＞
本実施例４は無線ネットワークの配備装置をさらに提供し、該装置の課題解決の原理が実施例１における方法と同様であるため、その具体的な実施は実施例１の方法の実施を参照してもよく、重複する説明を省略する。
【０１１１】
図１１は本実施例の無線ネットワークの配備装置の１つの態様を示す図である。図１１に示すように、無線ネットワークの配備装置１１００は、第１分割部１１０１及び第１決定部１１０２を含む。
【０１１２】
第１分割部１１０１は、配備すべき領域を複数のサブ領域に分割する。
【０１１３】
第１決定部１１０２は、各サブ領域に対してアクセスポイント（ＡＰ）を配備し、該複数のサブ領域のうちＡＰ配備済みのサブ領域以外のＡＰ未配備のサブ領域に対してＡＰを配備する場合、ＡＰ配備済みのサブ領域の残りリソースに基づいて、該ＡＰ未配備のサブ領域のＡＰ配備スキームを決定する。
【０１１４】
ここで、該残りリソースは、配備されたＡＰにアクセス可能なユーザの数と実際にアクセスしたユーザの数との差である。
【０１１５】
本実施例では、第１分割部１１０１及び第１決定部１１０２の具体的な態様は実施例１におけるステップ１０１〜１０２を参照してもよく、ここでその説明を省略する。
【０１１６】
図１２は本実施例における第１決定部１１０２の１つの態様を示す図である。図１２に示すように、各ＡＰ未配備のサブ領域のＡＰ配備スキームを決定する際に、第１決定部１１０２は、第１ユーザ数決定部１２０１、第１処理部１２０２、第２ユーザ決定部１２０３及び第２処理部１２０４を含む。
【０１１７】
第１ユーザ数決定部１２０１は、該ＡＰ未配備のサブ領域における該残りリソースにアクセスでき、且つネットワーク性能が第１所定条件を満たす第１ユーザの総数を決定する。
【０１１８】
第１処理部１２０２は、該第１ユーザの総数が前記残りリソース以下であり、且つ該ＡＰ未配備のサブ領域に該第１ユーザ以外に第１残りユーザが存在する場合、ＡＰ未配備のサブ領域の第１残りユーザの分布に基づいて、該ＡＰ未配備のサブ領域のＡＰ配備スキームを決定する。
【０１１９】
第２ユーザ決定部１２０３は、該第１ユーザの総数が該残りリソースよりも大きい場合、該第１ユーザから該残りリソース以下の数の第２ユーザを選択する。
【０１２０】
第２処理部１２０４は、該ＡＰ未配備のサブ領域の該第２ユーザ以外の第２残りユーザの分布に基づいて、該ＡＰ未配備のサブ領域のＡＰ配備スキームを決定する。
【０１２１】
本実施例では、該第１決定部１１０２は、第１判断部１２０５（オプション）をさらに含んでもよい。第１判断部１２０５は、該第１ユーザの総数が該残りリソース以下であるか否かを判断する。判断結果がＹＥＳの場合、第１処理部１２０２で処理を行い、判断結果がＮＯの場合は、第２ユーザ決定部１２０３で処理を行う。
【０１２２】
本実施例では、第１ユーザ数決定部１２０１、第１処理部１２０２、第２ユーザ決定部１２０３、第２処理部１２０４の具体的な態様は実施例１におけるステップ６０１〜６０３を参照してもよく、ここでその説明を省略する。
【０１２３】
本実施例では、該第１決定部１１０２は、所定の順序に各サブ領域に対してアクセスポイント（ＡＰ）を順次配備する。
【０１２４】
図１３は本発明の実施例における無線ネットワークの配備装置のハードウェア構成を示す図である。図１３に示すように、無線ネットワークの配備装置１３００は、インタフェース（図示せず）、中央処理装置（ＣＰＵ）１３２０及び記憶装置１３１０を含んでもよく、記憶装置１３１０は中央処理装置１３２０に接続される。ここで、記憶装置１３１０は各種の数を記憶してもよく、無線ネットワークの配備プログラムをさらに記憶し、中央処理装置１３２０の制御により該プログラムを実行し、また、記憶装置１３１０は各種の所定の値及び所定の条件などを記憶する。
【０１２５】
１つの態様では、無線ネットワークの配備装置の機能は中央処理装置１３２０に統合されてもよい。ここで、中央処理装置１３２０は、配備すべき領域を複数のサブ領域に分割し、各サブ領域に対してアクセスポイント（ＡＰ）を配備し、複数のサブ領域のうちＡＰ配備済みのサブ領域以外のＡＰ未配備のサブ領域に対してＡＰを配備する場合、ＡＰ配備済みのサブ領域の残りリソースに基づいて、ＡＰ未配備のサブ領域のＡＰ配備スキームを決定し、残りリソースは、配備されたＡＰにアクセス可能なユーザの数と実際にアクセスしたユーザの数との差であるように構成されてもよい。
【０１２６】
ここで、中央処理装置１３２０は、各ＡＰ未配備のサブ領域のＡＰ配備スキームを決定する際に、ＡＰ未配備のサブ領域における前記残りリソースにアクセスでき、且つネットワーク性能が第１所定条件を満たす第１ユーザの総数を決定し、第１ユーザの総数が残りリソース以下であり、且つＡＰ未配備のサブ領域に前記第１ユーザ以外に第１残りユーザが存在する場合、ＡＰ未配備のサブ領域の第１残りユーザの分布に基づいて、ＡＰ未配備のサブ領域のＡＰ配備スキームを決定し、第１ユーザの総数が残りリソースよりも大きい場合、第１ユーザから残りリソース以下の数の第２ユーザを選択し、ＡＰ未配備のサブ領域の第２ユーザ以外の第２残りユーザの分布に基づいて、ＡＰ未配備のサブ領域のＡＰ配備スキームを決定するようにさらに構成されてもよい。
【０１２７】
ここで、中央処理装置１３２０は、所定条件に基づいてＡＰ未配備のサブ領域から１つのサブ領域を選択するようにさらに構成されてもよい。
【０１２８】
もう１つの態様では、上記無線ネットワークの配備装置は中央処理装置１３２０に接続されたチップ（図示せず）に配置されてもよく、中央処理装置１３２０の制御により無線ネットワークの配備装置の機能を実現してもよい。
【０１２９】
本実施例では、無線ネットワークの配備装置１３００は、センサ１３０１、送受信機１３０４及び電源１３０５をさらに含んでもよい。ここで、上記構成部の機能は従来技術と類似し、ここでその説明を省略する。なお、無線ネットワークの配備装置１３００は図１３に示す全てのユニットを含む必要がない。また、無線ネットワークの配備装置１３００は、図１３に示されていないユニットをさらに含んでもよく、従来技術を参照してもよい。
【０１３０】
上記実施例によれば、配備すべき領域をサブ領域に分割し、各サブ領域について無線ネットワークを独立して配備し、未配備のサブ領域に対して無線ネットワークを配備する場合、配備済みのサブ領域の残りリソースを考慮することで、ネットワーク性能要求をより満たす無線ネットワークを取得でき、リソース利用率を向上でき、構築コストを節約できる。
【０１３１】
＜実施例５＞
本実施例５は無線ネットワークの配備装置をさらに提供し、該装置の課題解決の原理が実施例２における方法と同様であるため、その具体的な実施は実施例２の方法の実施を参照してもよく、重複する説明を省略する。
【０１３２】
図１４は本実施例の無線ネットワークの配備装置を示す図である。図１４に示すように、無線ネットワークの配備装置１４００は、第１分割部１４０１、第２決定部１４０２及び第１決定部１４０３を含む。
【０１３３】
第１分割部１４０１は、配備すべき領域を複数のサブ領域に分割する。
【０１３４】
第２決定部１４０２は、各サブ領域の多重化可能なリソースの割合を決定する。
【０１３５】
第１決定部１４０３は、各サブ領域に対してアクセスポイント（ＡＰ）を配備し、該複数のサブ領域のうちＡＰ配備済みのサブ領域以外のＡＰ未配備のサブ領域に対してＡＰを配備する場合、ＡＰ配備済みのサブ領域の残りリソース及び第２決定部１４０２により決定された多重化可能なリソースの割合に基づいて、該ＡＰ未配備のサブ領域のＡＰ配備スキームを決定する。
【０１３６】
ここで、該残りリソースは、配備されたＡＰにアクセス可能なユーザの数と実際にアクセスしたユーザの数との差である。
【０１３７】
本実施例では、第１分割部１４０１、第２決定部１４０２及び第１決定部１４０３の具体的な態様は実施例２におけるステップ７０１〜７０３を参照してもよく、ここでその説明を省略する。
【０１３８】
１つの態様では、例えば、第１分割部１４０１は、重要度レベルに基づいて、配備すべき領域を重要度レベルの異なる複数のサブ領域に分割してもよい。第２決定部１４０２は、各サブ領域の重要度レベルに基づいて、各サブ領域の多重化可能なリソースの割合を決定してもよい。例えば、第２決定部１４０２は、重要度レベルの高いサブ領域の多重化可能なリソースの割合を低くするように決定してもよい。
【０１３９】
図１５は本実施例における第１決定部１４０３の１つの態様を示す図である。図１５に示すように、各ＡＰ未配備のサブ領域のＡＰ配備スキームを決定する際に、第１決定部１４０３は、第１多重化可能リソース決定１５０１、第３ユーザ数決定部１５０２、第３処理部１５０３、第４ユーザ決定部１５０４、第４処理部１５０５を含む。
【０１４０】
第１多重化可能リソース決定部１５０１は、該ＡＰ配備済みのサブ領域の該残りリソース及び該多重化可能なリソースの割合に基づいて、該ＡＰ配備済みのサブ領域の第１多重化可能リソースを決定する。
【０１４１】
第３ユーザ数決定部１５０２は、ＡＰ未配備のサブ領域における該第１多重化可能リソースにアクセスでき、且つネットワーク性能が第１所定条件を満たす第３ユーザの総数を決定する。
【０１４２】
第３処理部１５０３は、該第３ユーザの総数が該第１多重化可能リソース以下であり、且つＡＰ未配備のサブ領域に該第３ユーザ以外に第３残りユーザが存在する場合、ＡＰ未配備のサブ領域の第３残りユーザの分布に基づいて、該ＡＰ未配備のサブ領域のＡＰ配備スキームを決定する。
【０１４３】
第４ユーザ決定部１５０４は、該第３ユーザの総数が該第１多重化可能リソースよりも大きい場合、該第３ユーザから該第１多重化可能リソース以下の数の第４ユーザを選択する。
【０１４４】
第４処理部１５０５は、ＡＰ未配備のサブ領域の該第４ユーザ以外の第４残りユーザの分布に基づいて、該ＡＰ未配備のサブ領域のＡＰ配備スキームを決定する。
【０１４５】
本実施例では、該第１決定部は、第１判断部１５０６（オプション）をさらに含んでもよい。第１判断部１５０６は、該第３ユーザの総数が該第１多重化可能リソース以下であるか否かを判断する。判断結果がＹＥＳの場合、第３処理部１５０３で処理を行い、判断結果がＮＯの場合は、第４ユーザ決定部１５０４で処理を行う。
【０１４６】
本実施例では、第１多重化可能リソース決定部１５０１、第３ユーザ数決定部１５０２、第３処理部１５０３、第４ユーザ決定部１５０４、第４処理部１５０５の具体的な態様は実施例２におけるステップ８０１〜８０４を参照してもよく、ここでその説明を省略する。
【０１４７】
本実施例では、該第１決定部１４０３は、所定の順序に各サブ領域に対してアクセスポイント（ＡＰ）を順次配備する。
【０１４８】
図１６は本発明の実施例における無線ネットワークの配備装置のハードウェア構成を示す図である。図１６に示すように、無線ネットワークの配備装置１６００は、インタフェース（図示せず）、中央処理装置（ＣＰＵ）１６２０及び記憶装置１６１０を含んでもよく、記憶装置１６１０は中央処理装置１６２０に接続される。ここで、記憶装置１６１０は各種の数を記憶してもよく、無線ネットワークの配備プログラムをさらに記憶し、中央処理装置１６２０の制御により該プログラムを実行し、また、記憶装置１６１０は各種の所定の値及び所定の条件などを記憶する。
【０１４９】
１つの態様では、無線ネットワークの配備装置の機能は中央処理装置１６２０に統合されてもよい。ここで、中央処理装置１６２０は、配備すべき領域を複数のサブ領域に分割し、各サブ領域の多重化可能なリソースの割合を決定し、各サブ領域に対してアクセスポイント（ＡＰ）を配備し、複数のサブ領域のうちＡＰ配備済みのサブ領域以外のＡＰ未配備のサブ領域に対してＡＰを配備する場合、ＡＰ配備済みのサブ領域の残りリソース及びＡＰ配備済みのサブ領域の残りリソースにおける多重化可能なリソースの割合に基づいて、ＡＰ配備スキームを決定し、残りリソースは、配備されたＡＰにアクセス可能なユーザの数と実際にアクセスしたユーザの数との差であるように構成されてもよい。
【０１５０】
ここで、中央処理装置１６２０は、重要度レベルに基づいて、配備すべき領域を重要度レベルの異なる複数のサブ領域に分割し、各サブ領域の重要度レベルに基づいて、各サブ領域の多重化可能なリソースの割合を決定するようにさらに構成されてもよい。
【０１５１】
ここで、中央処理装置１６２０は、各ＡＰ未配備のサブ領域のＡＰ配備スキームを決定する際に、ＡＰ配備済みのサブ領域の残りリソース及び多重化可能なリソースの割合に基づいて、ＡＰ配備済みのサブ領域の第１多重化可能リソースを決定し、ＡＰ未配備のサブ領域における第１多重化可能リソースにアクセスでき、且つネットワーク性能が第１所定条件を満たす第３ユーザの総数を決定し、第３ユーザの総数が第１多重化可能リソース以下であり、且つＡＰ未配備のサブ領域に第３ユーザ以外に第３残りユーザが存在する場合、ＡＰ未配備のサブ領域の第３残りユーザの分布に基づいて、ＡＰ未配備のサブ領域のＡＰ配備スキームを決定し、第３ユーザの総数が第１多重化可能リソースよりも大きい場合、第３ユーザから第１多重化可能リソース以下の数の第４ユーザを選択し、ＡＰ未配備のサブ領域の第４ユーザ以外の第４残りユーザの分布に基づいて、ＡＰ未配備のサブ領域のＡＰ配備スキームを決定するようにさらに構成されてもよい。
【０１５２】
ここで、中央処理装置１６２０は、重要度レベルの高いサブ領域の多重化可能なリソースの割合を低くするように決定するようにさらに構成されてもよい。
【０１５３】
ここで、中央処理装置１６２０は、所定条件に基づいてＡＰ未配備のサブ領域から１つのサブ領域を選択するようにさらに構成されてもよい。
【０１５４】
もう１つの態様では、上記無線ネットワークの配備装置は中央処理装置１６２０に接続されたチップ（図示せず）に配置されてもよく、中央処理装置１６２０の制御により無線ネットワークの配備装置の機能を実現してもよい。
【０１５５】
本実施例では、無線ネットワークの配備装置１６００は、センサ１６０１、送受信機１６０４及び電源１６０５をさらに含んでもよい。ここで、上記構成部の機能は従来技術と類似し、ここでその説明を省略する。なお、無線ネットワークの配備装置１６００は図１６に示す全てのユニットを含む必要がない。また、無線ネットワークの配備装置１６００は、図１６に示されていないユニットをさらに含んでもよく、従来技術を参照してもよい。
【０１５６】
上記実施例によれば、配備すべき領域をサブ領域に分割し、各サブ領域について無線ネットワークをそれぞれ配備し、未配備のサブ領域に対して無線ネットワークを配備する場合、ＡＰ配備済みのサブ領域の残りリソース及び多重化可能なリソースの割合を考慮することで、ネットワーク性能要求をより満たす無線ネットワークを取得でき、リソース利用率を向上でき、構築コストを節約できる。
【０１５７】
本発明の実施例は、無線ネットワークの配備装置においてプログラムを実行する際に、コンピュータに、該ノードにおいて上記実施例１〜３の何れかに記載の無線ネットワークの配備方法を実行させる、コンピュータ読み取り可能なプログラムをさらに提供する。
【０１５８】
本発明の実施例は、コンピュータに、無線ネットワークの配備装置において上記実施例１〜３の何れかに記載の無線ネットワークの配備方法を実行させるためのコンピュータ読み取り可能なプログラムを記憶する、記憶媒体をさらに提供する。
【０１５９】
本発明の実施例を参照しながら説明した無線ネットワークの配備装置に適用される無線ネットワークの配備方法は、ハードウェア、プロセッサにより実行されるソフトウェアモジュール、又は両者の組み合わせで実施されてもよい。例えば、図１１〜図１６に示す機能的ブロック図における１つ若しくは複数、又は機能的ブロック図の１つ若しくは複数の組み合わせは、コンピュータプログラムフローの各ソフトウェアモジュールに対応してもよいし、各ハードウェアモジュールに対応してもよい。これらのソフトウェアモジュールは、図１〜図１０（図２〜図５を除く）に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１６０】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置する。該ソフトウェアは無線ネットワークの配備装置のメモリに記憶されてもよいし、無線ネットワークの配備装置に挿入されたメモリカードに記憶されてもよい。
【０１６１】
図１１〜図１６に記載されている一つ以上の機能ブロックおよび/または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図１１〜図１６に記載されている一つ以上の機能ブロックおよび/または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１６２】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【０１６３】
また、上述の実施例を含む実施形態に関し、更に以下の付記を開示する。
（付記１）
無線ネットワークの配備装置であって、
配備すべき領域を複数のサブ領域に分割する第１分割手段と、
各サブ領域に対してアクセスポイント（ＡＰ）を配備する第１決定手段であって、前記複数のサブ領域のうちＡＰ配備済みのサブ領域以外のＡＰ未配備のサブ領域に対してＡＰを配備する場合、ＡＰ配備済みのサブ領域の残りリソースに基づいて、前記ＡＰ未配備のサブ領域のＡＰ配備スキームを決定する、第１決定手段と、を含み、
前記残りリソースは、配備されたＡＰにアクセス可能なユーザの数と実際にアクセスしたユーザの数との差である、装置。
（付記２）
各前記ＡＰ未配備のサブ領域のＡＰ配備スキームを決定する際に、前記第１決定手段は、
前記ＡＰ未配備のサブ領域における前記残りリソースにアクセスでき、且つネットワーク性能が第１所定条件を満たす第１ユーザの総数を決定する第１ユーザ数決定手段と、
前記第１ユーザの総数が前記残りリソース以下であり、且つ前記ＡＰ未配備のサブ領域に前記第１ユーザ以外に第１残りユーザが存在する場合、ＡＰ未配備のサブ領域の第１残りユーザの分布に基づいて、前記ＡＰ未配備のサブ領域のＡＰ配備スキームを決定する第１処理手段と、を含む、付記１に記載の装置。
（付記３）
前記第１決定手段は、
前記第１ユーザの総数が前記残りリソースよりも大きい場合、前記第１ユーザから前記残りリソース以下の数の第２ユーザを選択する第２ユーザ決定手段と、
前記ＡＰ未配備のサブ領域の前記第２ユーザ以外の第２残りユーザの分布に基づいて、前記ＡＰ未配備のサブ領域のＡＰ配備スキームを決定する第２処理手段と、をさらに含む、付記２に記載の装置。
（付記４）
各サブ領域の多重化可能なリソースの割合を決定する第２決定手段、をさらに含み、
前記第１決定手段は、前記ＡＰ未配備のサブ領域に対してＡＰを配備する場合、前記ＡＰ配備済みのサブ領域の残りリソース及び前記第２決定手段により決定された多重化可能なリソースの割合に基づいて、ＡＰ配備スキームを決定する、付記１に記載の装置。
（付記５）
前記第１分割手段は、重要度レベルに基づいて、配備すべき領域を重要度レベルの異なる複数のサブ領域に分割し、
前記第２決定手段は、各サブ領域の重要度レベルに基づいて、各サブ領域の多重化可能なリソースの割合を決定する、付記４に記載の装置。
（付記６）
各前記ＡＰ未配備のサブ領域のＡＰ配備スキームを決定する際に、前記第１決定手段は、
前記ＡＰ配備済みのサブ領域の前記残りリソース及び前記多重化可能なリソースの割合に基づいて、前記ＡＰ配備済みのサブ領域の第１多重化可能リソースを決定する第１多重化可能リソース決定手段と、
ＡＰ未配備のサブ領域における前記第１多重化可能リソースにアクセスでき、且つネットワーク性能が第１所定条件を満たす第３ユーザの総数を決定する第３ユーザ数決定手段と、
前記第３ユーザの総数が前記第１多重化可能リソース以下であり、且つＡＰ未配備のサブ領域に前記第３ユーザ以外に第３残りユーザが存在する場合、ＡＰ未配備のサブ領域の第３残りユーザの分布に基づいて、前記ＡＰ未配備のサブ領域のＡＰ配備スキームを決定する第３処理手段と、を含む、付記４に記載の装置。
（付記７）
前記第１決定手段は、
前記第３ユーザの総数が前記第１多重化可能リソースよりも大きい場合、前記第３ユーザから前記第１多重化可能リソース以下の数の第４ユーザを選択する第４ユーザ決定手段と、
ＡＰ未配備のサブ領域の前記第４ユーザ以外の第４残りユーザの分布に基づいて、前記ＡＰ未配備のサブ領域のＡＰ配備スキームを決定する第４処理手段と、をさらに含む、付記６に記載の装置。
（付記８）
前記第１決定手段は、所定の順序に各サブ領域に対してアクセスポイント（ＡＰ）を順次配備する、付記１に記載の装置。
（付記９）
前記第２決定手段は、重要度レベルの高いサブ領域の多重化可能なリソースの割合を低くするように決定する、付記５に記載の装置。
（付記１０）
無線ネットワークの配備方法であって、
配備すべき領域を複数のサブ領域に分割するステップと、
各サブ領域に対してアクセスポイント（ＡＰ）を配備するステップであって、前記複数のサブ領域のうちＡＰ配備済みのサブ領域以外のＡＰ未配備のサブ領域に対してＡＰを配備する場合、ＡＰ配備済みのサブ領域の残りリソースに基づいて前記ＡＰ未配備のサブ領域のＡＰ配備スキームを決定する、ステップと、を含み、
前記残りリソースは、配備されたＡＰにアクセス可能なユーザの数と実際にアクセスしたユーザの数との差である、方法。
（付記１１）
各前記ＡＰ未配備のサブ領域のＡＰ配備スキームを決定する際に、前記方法は、
前記ＡＰ未配備のサブ領域における前記残りリソースにアクセスでき、且つネットワーク性能が第１所定条件を満たす第１ユーザの総数を決定するステップと、
前記第１ユーザの総数が前記残りリソース以下であり、且つ前記ＡＰ未配備のサブ領域に前記第１ユーザ以外に第１残りユーザが存在する場合、ＡＰ未配備のサブ領域の第１残りユーザの分布に基づいて、前記ＡＰ未配備のサブ領域のＡＰ配備スキームを決定するステップと、を含む、付記１０に記載の方法。
（付記１２）
前記方法は、
前記第１ユーザの総数が前記残りリソースよりも大きい場合、前記第１ユーザから前記残りリソース以下の数の第２ユーザを選択するステップと、
前記ＡＰ未配備のサブ領域の前記第２ユーザ以外の第２残りユーザの分布に基づいて、前記ＡＰ未配備のサブ領域のＡＰ配備スキームを決定するステップと、をさらに含む、付記１１に記載の方法。
（付記１３）
前記方法は、各サブ領域の多重化可能なリソースの割合を決定するステップ、をさらに含み、
前記ＡＰ未配備のサブ領域に対してＡＰを配備する場合、前記ＡＰ配備済みのサブ領域の残りリソース及び決定された多重化可能なリソースの割合に基づいて、ＡＰ配備スキームを決定する、付記１０に記載の方法。
（付記１４）
重要度レベルに基づいて、配備すべき領域を重要度レベルの異なる複数のサブ領域に分割し、
各サブ領域の重要度レベルに基づいて、各サブ領域の多重化可能なリソースの割合を決定する、付記１３に記載の方法。
（付記１５）
各前記ＡＰ未配備のサブ領域のＡＰ配備スキームを決定する際に、前記方法は、
前記ＡＰ配備済みのサブ領域の前記残りリソース及び前記多重化可能なリソースの割合に基づいて、前記ＡＰ配備済みのサブ領域の第１多重化可能リソースを決定するステップと、
ＡＰ未配備のサブ領域における前記第１多重化可能リソースにアクセスでき、且つネットワーク性能が第１所定条件を満たす第３ユーザの総数を決定するステップと、
前記第３ユーザの総数が前記第１多重化可能リソース以下であり、且つＡＰ未配備のサブ領域に前記第３ユーザ以外に第３残りユーザが存在する場合、ＡＰ未配備のサブ領域の第３残りユーザの分布に基づいて、前記ＡＰ未配備のサブ領域のＡＰ配備スキームを決定するステップと、を含む、付記１３に記載の方法。
（付記１６）
前記方法は、
前記第３ユーザの総数が前記第１多重化可能リソースよりも大きい場合、前記第３ユーザから前記第１多重化可能リソース以下の数の第４ユーザを選択するステップと、
ＡＰ未配備のサブ領域の前記第４ユーザ以外の第４残りユーザの分布に基づいて、前記ＡＰ未配備のサブ領域のＡＰ配備スキームを決定するステップと、をさらに含む、付記１５に記載の方法。
（付記１７）
所定の順序に各サブ領域に対してアクセスポイント（ＡＰ）を順次配備する、付記１０に記載の方法。
（付記１８）
重要度レベルの高いサブ領域の多重化可能なリソースの割合を低くするように決定する、付記１４に記載の方法。
【図１】
2017225119.tif 000003
【図２】
2017225119.tif 000004
【図３】
2017225119.tif 000005
【図４】
2017225119.tif 000006
【図５】
2017225119.tif 000007
【図６】
2017225119.tif 000008
【図７】
2017225119.tif 000009
【図８】
2017225119.tif 000010
【図９】
2017225119.tif 000011
【図１０】
2017225119.tif 000012
【図１１】
2017225119.tif 000013
【図１２】
2017225119.tif 000014
【図１３】
2017225119.tif 000015
【図１４】
2017225119.tif 000016
【図１５】
2017225119.tif 000017
【図１６】
2017225119.tif 000018